【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信の方法であって、
基地局と通信するための割り当てられたリソースの指示を備えるダウンリンク割当てまたはアップリンク許可を受信するステップと、
前記割り当てられたリソースに関連付けられたサブキャリア間隔またはシンボル持続時間のうちの少なくとも1つを備える、ヌメロロジーを決定するステップと、
前記ヌメロロジーに基づいて、前記割り当てられたリソースのための1つまたは複数のインデックスを決定するステップと、
前記1つまたは複数のインデックスに基づいて、シーケンスを生成するステップと、
前記シーケンスに基づいて、前記基地局と通信するステップと
を含む方法。
【請求項２】
前記基地局と通信するステップが、前記ダウンリンク割当てに基づいてダウンリンク送信を受信するステップと、前記シーケンスに基づくチャネル推定、または前記シーケンスに基づいて、前記ダウンリンク送信において受信されたスクランブルされたデータを復号することのうちの少なくとも1つを実行するステップとを含む、請求項1に記載の方法。
【請求項３】
前記基地局と通信するステップが、アップリンク送信において基準信号を送信するステップ、または、前記シーケンスに基づいて、前記アップリンク送信のためのデータをスクランブルするステップのうちの少なくとも1つを含み、前記アップリンク送信が、前記アップリンク許可に基づく、請求項1に記載の方法。
【請求項４】
前記基地局から、前記ヌメロロジーを示す情報を受信するステップをさらに含み、前記情報が、マスタ情報ブロック(MIB)、システム情報ブロック(SIB)、または無線リソース制御(RRC)シグナリングにおいて受信される、請求項1に記載の方法。
【請求項５】
前記ヌメロロジーを決定するステップが、第1の割り当てられたリソースに関連付けられた第1のヌメロロジーを決定するステップと、第2の割り当てられたリソースに関連付けられた第2のヌメロロジーを決定するステップとを含み、前記第1のヌメロロジーおよび前記第2のヌメロロジーが異なる、請求項1に記載の方法。
【請求項６】
前記ヌメロロジーを決定するステップが、前記割り当てられたリソースのための複数の基準ヌメロロジーを決定するステップを含み、前記1つまたは複数のインデックスを決定するステップが、前記割り当てられたリソースの部分を、前記複数のヌメロロジーにおける対応する基準ヌメロロジーと比較するステップを含む、請求項1に記載の方法。
【請求項７】
前記割り当てられたリソースのための前記1つまたは複数のインデックスを決定するステップが、
前記割り当てられたリソースに関連付けられた第1のリソースブロック(RB)の第1のRBロケーションを、対応する基準ヌメロロジーの第2のRBロケーションとマッチングすることによって、RBインデックスを決定するステップであって、前記RBインデックスが、前記対応する基準ヌメロロジー内の前記第2のRBロケーションに基づく、ステップ、
前記割り当てられたリソースに関連付けられた第1のシンボルの第1のシンボルロケーションを、対応する基準ヌメロロジーの第2のシンボルロケーションとマッチングすることによって、シンボルインデックスを決定するステップであって、前記シンボルインデックスが、前記対応する基準ヌメロロジー内の前記第2のシンボルロケーションに基づく、ステップ、または
前記割り当てられたリソースに関連付けられた第1の周波数サブキャリアロケーションを、対応する基準ヌメロロジーにおける第2の周波数サブキャリアロケーションとマッチングすることによって、周波数サブキャリアインデックスを決定するステップであって、前記周波数サブキャリアインデックスが、前記対応する基準ヌメロロジー内の前記第2の周波数サブキャリアロケーションに基づく、ステップ
のうちの1つまたは複数を含む、請求項1に記載の方法。
【請求項８】
前記割り当てられたリソースのための前記1つまたは複数のインデックスを決定するステップが、前記割り当てられたリソースを、基準ヌメロロジーを有するインデックス付き時間周波数グリッドと比較するステップと、最も近い一致を選定するステップとを含む、請求項1に記載の方法。
【請求項９】
前記ヌメロロジーを決定するステップが、前記割り当てられたリソースにおける複数のアップリンク(UL)リソースまたはダウンリンク(DL)リソースのうちの1つに関連付けられた、サブキャリア間隔およびシンボル持続時間を決定するステップであって、前記複数のULリソースまたはDLリソースのうちの前記1つが、少なくとも2つの異なるサブキャリア間隔またはシンボル持続時間を備える、ステップを含む、請求項1に記載の方法。
【請求項１０】
ユーザ機器(UE)であって、
基地局と通信するための割り当てられたリソースの指示を備えるダウンリンク割当てまたはアップリンク許可を受信する手段と、
前記割り当てられたリソースに関連付けられたサブキャリア間隔またはシンボル持続時間のうちの少なくとも1つを備える、ヌメロロジーを決定する手段と、
前記ヌメロロジーに基づいて、前記割り当てられたリソースのための1つまたは複数のインデックスを決定する手段と、
前記1つまたは複数のインデックスに基づいて、シーケンスを生成すること、および
前記シーケンスに基づいて、前記基地局と通信する手段と
を備える、ユーザ機器。
【請求項１１】
ワイヤレス通信のための方法であって、
基地局において、リソースに関連付けられたヌメロロジーを決定するステップと、
前記基地局において、ユーザ機器による使用のために前記リソースを割り当てるステップと、
前記基地局から前記ユーザ機器に、ダウンリンク割当てまたはアップリンク許可において、前記リソースに関連付けられたサブキャリア間隔またはシンボル持続時間のうちの少なくとも1つを備える前記ヌメロロジーの指示をシグナリングするステップと、
前記ヌメロロジーに基づいて、前記割り当てられたリソースを介して、前記ユーザ機器と通信するステップと
を備える方法。
【請求項１２】
前記方法は前記リソースの第1の部分のための第1のヌメロロジーと、前記リソースの第2の部分のための第2のヌメロロジーとを決定するステップをさらに含み、前記ヌメロロジーをシグナリングするステップが、前記第1のヌメロロジーをシグナリングすること、および前記第2のヌメロロジーをシグナリングすることを含む、請求項11に記載の方法。
【請求項１３】
前記リソースに関連付けられた前記ヌメロロジーを決定するステップが、複数のアップリンク(UL)リソースまたはダウンリンク(DL)リソースのうちの1つに関連付けられた、サブキャリア間隔およびシンボル持続時間を決定するステップを含み、前記複数のULリソースまたはDLリソースのうちの前記1つが、少なくとも2つの異なるサブキャリア間隔またはシンボル持続時間を含む、請求項11に記載の方法。
【請求項１４】
ワイヤレス通信のための基地局であって、
リソースに関連付けられたヌメロロジーを決定する手段と、
ユーザ機器による使用のために前記リソースを割り当てる手段と、
ダウンリンク割当てまたはアップリンク許可において、前記リソースに関連付けられたサブキャリア間隔またはシンボル持続時間のうちの少なくとも１つを備える前記ヌメロロジーの指示をシグナリングする手段と、
前記ヌメロロジーに基づいて、前記割り当てられたリソースを介して、前記ユーザ機器と通信する手段と
を備える基地局。
【請求項１５】
実行されるときに、請求項1から9または11から13のうちのいずれか一項に記載の方法をコンピュータに実行させるプログラムコードを備えるコンピュータ可読記録媒体。